(57)【要約】【課題】コンテンツ記録再生装置において、コンテンツデータの再生を終了する毎に、ユーザに対しコンテンツデータを消去の問い合わせが行われると煩わしい。【解決手段】入力したコンテンツデータを符号化し、符号化したコンテンツデータを記録装置に記録すると共に前記記録装置に記録したコンテンツデータを読み出し、読み出したコンテンツデータを復号化し、復号化したコンテンツデータを外部に出力し、コンテンツデータの再生が停止した場合又はコンテンツデータの再生が終了した場合に当該コンテンツデータの消去の問い合わせ映像信号を出力するコンテンツ記録再生装置において、制御部は、コンテンツデータが頭出し用のマークの設定、または、メタデータの設定・編集、または、外部機器から入力し記録されたことを検出した場合、当該コンテンツデータに対し、コンテンツデータの消去の問い合わせ映像信号を出力しないように制御をする。【選択図】      図２
2005217455.tif 000002
【特許請求の範囲】
【請求項１】
外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号するデコーダと、前記デコーダが復号したコンテンツデータを外部に出力する出力部と、コンテンツデータの再生停止を指示する指示信号及び頭出し用のマークを設定する指示信号を出力する操作部と、前記操作部からの指示信号によりコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生を停止したコンテンツデータ又は再生が終了したコンテンツデータに頭出し用のマークが設定されていることを検出した場合に当該コンテンツデータについて前記出力部が前記問い合わせ映像信号を出力することを中止する制御をすることを特徴とするコンテンツ記録再生装置。
【請求項２】
外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号化するデコーダと、復号化されたコンテンツデータを外部に出力する出力部と、コンテンツデータの再生停止を指示する指示信号及びコンテンツデータのメタデータの設定・編集の指示信号を出力する操作部と、前記操作部からの指示信号に基づいてコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生が停止したコンテンツデータ又は再生が終了したコンテンツデータにメタデータが設定・編集されていることを検出した場合に当該コンテンツデータについて前記出力部が前記問い合わせ映像信号を出力することを中止する制御をすることを特徴とするコンテンツ記録再生装置。
【請求項３】
外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号化するデコーダと、復号化されたコンテンツデータを外部に出力する出力部と、コンテンツデータの再生停止を指示する指示信号を出力する操作部と、前記操作部からの指示信号に基づいてコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生が停止したコンテンツデータ又は再生が終了したコンテンツデータが外部機器から入力し前記記録装置に記録されたことを検出した場合に当該コンテンツデータについて前記出力部が前記問い合わせ映像信号を出力することを中止する制御をすることを特徴とするコンテンツ記録再生装置。
【発明の詳細な説明】
【技術分野】
【０００１】
本発明は、コンテンツデータを記録し、記録したコンテンツデータを再生するコンテンツ記録再生装置に関する
【背景技術】
【０００２】
映像信号・音声信号等のコンテンツデータをハードディスクドライブ等の記録媒体に記録し、当該記録媒体に記録したコンテンツデータを再生するコンテンツ記録再生装置において、コンテンツデータの再生を停止した際に、そのコンテンツデータを消去するか否かをユーザに問い合わせる機能（以下、消去問い合わせ機能という。）が用いられている場合がある。
【０００３】
従来のコンテンツ記録再生装置における消去問い合わせ機能の動作について説明する。
図４は、従来のコンテンツ記録再生装置における消去問い合わせ機能の動作を示すフローチャートである。
図４において、ユーザにより再生中のコンテンツデータの再生が停止された場合、或いは、コンテンツデータの再生が終了した場合、コンテンツデータに設定されている問い合わせフラグが確認される（ステップ３１）。
【０００４】
問い合わせフラグは、ユーザにコンテンツデータの消去の問い合わせを行うか否かを示すフラグであり、問い合わせを行う場合はフラグが設定され、問い合わせを行わない場合はフラグが設定されない。全てのコンテンツデータは、初期値として、問い合わせを行うことを示す問い合わせフラグ「１」が設定されている（ステップ３１において「ＹＥＳ」）。問い合わせフラグが設定されてない場合、すなわち問い合わせフラグが「０」の場合は（ステップ３１において「ＮＯ」）、コンテンツデータの消去の問い合わせを行わずに終了する。
【０００５】
問い合わせフラグが「１」の場合は、ディスプレイにデータ消去の問い合わせ画面が表示される（ステップ３２）。この問い合わせに対し、ユーザが「コンテンツデータを消去する」を選択した場合（ステップ３３）は、当該コンテンツデータを消去して終了する（ステップ３４）。
【０００６】
問い合わせに対して「コンテンツデータを消去する」を選択せず（ステップ３３）、ユーザが「以後、問い合わせをしない」を選択した場合（ステップ３５）、コンテンツデータを消去せず、問い合わせフラグを「０」に変更し終了する（ステップ３６）。これにより、以降、当該コンテンツデータを再生し、再生を停止または終了した後に、コンテンツデータの消去の問い合わせは行われない。
【０００７】
ユーザが「以後、問い合わせをしない」を選択しない場合は、ユーザが「以後も問い合わせをする」を選択したとして（ステップ３５）、コンテンツデータを消去せず、問い合わせフラグも「１」のままで終了する。これにより、以降、当該コンテンツデータを再生し、再生を停止又は終了した後に、再びコンテンツデータ消去の問い合わせが行われる。
【０００８】
このようなコンテンツデータの消去問い合わせ機能により、ユーザは再生し終わったコンテンツデータまたは再生を停止したコンテンツデータを保存しておく必要がないと判断した場合、コンテンツデータの消去を行うことができ、ハードディスクドライブ等の記憶領域の容量を確保することができる。また、消去するコンテンツデータを視聴し終わった直後は、ユーザは当該コンテンツデータ（例えば、テレビ番組）の内容を理解しているため、誤って違うコンテンツデータを削除してしまうとことが起こりにくくなる。
【０００９】
しかし、一方では、ユーザが視聴したコンテンツデータを消去するつもりがない場合、コンテンツデータの再生が停止又は終了する度に余計な問い合わせが発生するので煩わしさを感じることがある。また、ユーザが「以後の問い合わせをしない」を選択することにより、２回目以降の再生では、再生終了時に問い合わせを行わないように設定できるため、幾分煩わしさが緩和されるものの、少なくとも１回はコンテンツデータの消去の問い合わせが発生してしまう。このため、ユーザが最初から消去するつもりがないコンテンツデータに対しても、当該コンテンツデータの再生停止又は再生終了時に、コンテンツデータの消去の問い合わせが発生するため、ユーザにとって煩わしいという欠点があった。
【００１０】
この欠点を解決するため、一度問い合わせを行ったコンテンツデータに対しては問い合わせを行わず、途中で再生を停止した場合は何度でも問い合わせを行う録画装置が特許文献１に開示されている。
【００１１】
また、一定時間以上の再生が行われた場合、または、コンテンツデータの記録時間に対して一定以上の割合の時間だけ再生された場合にのみ、当該コンテンツデータの消去の問い合わせを行う番組記録再生装置が、特許文献２に開示されている。
【００１２】
【特許文献１】特開  ２００１−１９５８０７
【特許文献２】特開  ２００３−０２３５９０
【発明の開示】
【発明が解決しようとする課題】
【００１３】
しかしながら、特許文献１に開示されているような、一度問い合わせを行ったコンテンツデータに対しては問い合わせを行わない方法についても、最低１回は問い合わせが発生する。例えば、ユーザがあるテレビ番組を今後も繰り返し視聴するつもりで録画予約し、予約する際には再生するときに当該コンテンツデータをすぐに探し出せるようにコンテンツデータのタイトルを編集した場合でも、当該コンテンツデータの録画終了後、そのコンテンツデータが再生され、再生が終了すると、当該コンテンツデータを消去するかどうか問い合わせが行なわれる。このように、ユーザが最初からコンテンツデータを消去するつもりがなく、タイトルを編集したにも拘わらず、当該コンテンツデータの再生停止又は再生終了時に、コンテンツデータの消去の問い合わせが発生するため、ユーザにとって煩わしいという問題がある。
【００１４】
また、特許文献２のように、コンテンツデータの消去の問い合わせの有無を再生時間の長さに応じて決定するのは、必ずしもユーザの意思を反映していない。つまり、コンテンツデータを一定時間以上再生したからとしても、当該コンテンツデータの消去を希望するとは限らない。また、非常に短い時間の再生の後でもユーザはそのコンテンツを消去したい場合もある。したがって、コンテンツデータを消去したいときに問い合わせがされず、また、消去したくないコンテンツデータに問い合わせがされる場合が発生するため、ユーザにとって煩わしいという問題がある。
【００１５】
本発明は、ユーザに対し、消去するつもりがないコンテンツデータについて当該コンテンツデータを消去するか否かの問い合わせが行われる回数を少なくし、コンテンツデータの消去の問い合わせに対する煩わしさを軽減するコンテンツ記録再生装置を提供することを目的とする。
【課題を解決するための手段】
【００１６】
本願の発明は、外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号するデコーダと、前記デコーダが復号したコンテンツデータを外部に出力する出力部と、コンテンツデータの再生停止を指示する指示信号及び頭出し用のマークを設定する指示信号を出力する操作部と、前記操作部からの指示信号によりコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生を停止したコンテンツデータ又は再生が終了したコンテンツデータに頭出し用のマークが設定されていることを検出した場合に当該コンテンツデータについて前記出力部が前記問い合わせ映像信号を出力することを中止する制御をすることを特徴とする。
【００１７】
本願の発明は、外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号化するデコーダと、復号化されたコンテンツデータを外部に出力する出力部と、コンテンツデータの再生停止を指示する指示信号及びコンテンツデータのメタデータの設定・編集の指示信号を出力する操作部と、前記操作部からの指示信号に基づいてコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生が停止したコンテンツデータ又は再生が終了したコンテンツデータにメタデータが設定・編集されていることを検出した場合に当該コンテンツデータについて前記出力部が前記問い合わせ映像信号を出力することを中止する制御をすることを特徴とする。
【００１８】
本願の発明は、外部から入力する信号を受信し受信したコンテンツデータを出力する受信手段と、前記受信手段が出力したコンテンツデータを符号化するエンコーダと、符号化されたコンテンツデータを記録すると共に記録されたコンテンツデータを読み出す記録装置と、前記記録装置から読み出されたコンテンツデータを復号化するデコーダと、復号化されたコンテンツデータを外部に出力する出力部と、コンテンツデータの再生停止を指示する指示信号を出力する操作部と、前記操作部からの指示信号に基づいてコンテンツデータの再生を停止した場合又はコンテンツデータの再生が終了した場合に当該コンテンツデータを消去するか否かの問い合わせ映像信号を前記出力部から出力する制御を行う制御部とを備えるコンテンツ記録再生装置において、前記制御部は、前記操作部からの指示信号に基づいて再生が停止したコンテンツデータ又は再生が終了したコンテンツデータが外部機器から入力し前記記録装置に記録されたことを検出した場合に当該コンテンツデータについて前記出力部が前記問い合わせ映像信号を出力することを中止する制御をすることを特徴とする。
【発明の効果】
【００１９】
本発明によれば、コンテンツデータの消去の問い合わせを行うコンテンツ記録再生装置において、ユーザに対し、消去するつもりがないコンテンツデータについて当該コンテンツデータを消去するか否かの問い合わせが行われる回数を少なくし、コンテンツデータの消去の問い合わせに対する煩わしさを軽減することができる。
【発明を実施するための最良の形態】
【００２０】
図１は、本発明のコンテンツ記録再生装置の一実施例の概略構成を示す図である。
図１において、コンテンツ記録再生装置は、受信部１、エンコーダ２、ハードディスクドライブ３、デコーダ４、出力部５、操作部６、制御部７を備える。
【００２１】
受信部１は、接続されているアンテナ８によりラジオ放送やテレビジョン放送などの放送信号を受信し、受信した放送信号を出力するチューナ部１ａと、外部機器（再生装置など）から入力する信号或いはインターネット等のネットワークを介して入力される信号を受信する信号入力部１ｂを備え、外部から入力する信号を受信し、受信したコンテンツデータをエンコーダ２に出力する。
【００２２】
エンコーダ２は、受信部１から出力されたコンテンツデータをエンコードしてハードディスクドライブ３に出力する。エンコーダ２におけるエンコードは、例えば、映像信号をＭＰＥＧ（Moving Picture Experts Group）方式などのデジタル映像信号に変換する処理、また、音声信号をＭＰＥＧ、ＡＣ−３、リニアＰＣＭ（Pulse Code Modulation）などのデジタル音声信号に変換する処理である。
【００２３】
ハードディスクドライブ３は、制御部７の制御により、エンコーダ２から出力されたコンテンツデータを記録すると共に、記録したコンテンツデータを読み出しデコーダ４に出力する。また、ハードディスクドライブ３は、制御部７の制御により、コンテンツデータに頭出し用マーク（インデックス、ブックマークなど）が設定された場合またはメタデータ（タイトル、コメント、サムネイルなど）が設定・編集された場合、或いは、コンテンツデータが外部機器から入力された場合、頭出し用のマークまたはメタデータ或いは外部機器からの入力を示す情報を当該コンテンツデータと共に記録する。また、ハードディスクドライブ３は、制御部７の制御により、記録されているコンテンツデータの消去を行う。
【００２４】
デコーダ４は、ハードディスクドライブ３から出力されたコンテンツデータをデコードして出力部５に出力する。デコーダ４におけるデコードは、例えば、ＭＰＥＧ方式などによりエンコードされたデジタル映像信号をアナログ映像信号に変換する処理、また、ＭＰＥＧ方式、ＡＣ−３、リニアＰＣＭなどによりエンコードされたデジタル音声信号をアナログ音声信号に変換する処理である。
【００２５】
出力部５は、デコーダ４から出力されたコンテンツデータにＮＴＳＣ方式の信号に復調する処理等を施し、アナログ信号に変換し、映像信号及び音声信号を接続されているディスプレイ９やスピーカ１０に出力する。また、出力部５は、制御部７の制御により、ディスプレイ９に、コンテンツデータの消去の問い合わせ画面を表示させるための問い合わせ映像信号を出力する。
【００２６】
操作部６は、ユーザがコンテンツ記録再生装置に備えられた操作ボタン或いは操作ボタンを備えたリモコンから入力した指示に対応する指示信号を制御部７に出力する。操作ボタンとしては、再生するコンテンツデータを選択するためのボタン、コンテンツデータに対し頭出し用のマークを設定するボタン、コンテンツデータのメタデータを設定・編集するボタン、再生開始、再生停止、データ消去などのボタンがある。
【００２７】
制御部７は、ＭＰＵ（Micro Processing Unit）またはＣＰＵ（Central Processing Unit）を備え、制御プログラムが書き込まれたＲＯＭ（Read Only Memory）（図示せず）と、プログラム実行に必要な一時記憶領域を提供するためのＲＡＭ（Random Access Memory）（図示せず）を備える。制御部７は、操作部６からの指示信号を受け、ＲＯＭに格納された制御プログラムに基づいてＲＡＭを一時記憶領域として用い、装置全体の動作を統括的に制御する。
【００２８】
制御部７は、ユーザが操作部６を用いて頭出し用のマーク又はメタデータの設定・編集を行った場合に、操作部６からの指示信号に基づいて、頭出し用のマーク又はメタデータをコンテンツデータと共にハードディスクドライブ３に記録する制御を行う。また、制御部７は、受信部１の信号入力部１ｂから入力したコンテンツデータに対し、外部機器からの入力を示す情報をコンテンツデータと共にハードディスクドライブ３に記録する制御を行う。
【００２９】
制御部７は、操作部６からの再生停止の指示信号に基づいてコンテンツデータの再生を停止した場合又はコンテンツデータの再生が終了した場合、当該コンテンツデータに頭出し用マークが設定されているか否か、また、当該コンテンツデータのメタデータが設定・編集されているか否か、また、当該コンテンツデータが外部機器から入力しハードディスクドライブに記録されたコンテンツデータであるか否かを判別する。
【００３０】
制御部７は、コンテンツデータに頭出し用マークが設定されている場合またはコンテンツデータのメタデータが設定・編集されている場合または外部機器から入力したコンテンツデータである場合には、コンテンツデータの消去の問い合わせを行わないように制御する。
【００３１】
本実施例のコンテンツ記録再生装置において、コンテンツ再生終了後のコンテンツデータの消去の問い合わせをする動作について説明する。
図２は、本実施例のコンテンツ記録再生装置におけるコンテンツデータの再生終了後のコンテンツデータの消去を問い合わせをする動作を示すフローチャートである。
【００３２】
コンテンツデータの再生が停止または終了すると、制御部７は、当該コンテンツデータに設定されている問い合わせフラグを確認する（ステップ２１）。コンテンツデータは、初期値として、問い合わせフラグ「１」が設定されている（ステップ２１において「ＹＥＳ」）。
【００３３】
問い合わせフラグ「０」が設定されている場合に（ステップ２１において「ＮＯ」）、コンテンツデータの消去の問い合わせを行わずに終了する。問い合わせフラグが「１」の場合（ステップ２１）、当該コンテンツデータにユーザによって設定された頭出し用マークが存在するか否かを確認する（ステップ２２）。
【００３４】
頭出し用のマークは、コンテンツデータの任意の位置にユーザが目印として付すものであり、再生時にリモコン等などの操作部を用いてマーク設定の指示をすることにより、目印をつけた位置を容易に頭出しすることができる。
【００３５】
頭出し用のマークは、繰り返し視聴する場合に便利な機能であって、通常ユーザが１度視聴して消去するつもりのコンテンツに頭出し用のマークを設定する可能性が低い。このことから、頭出し用のマークがユーザにより設定されているコンテンツデータについては、ユーザが消去するつもりがない、または、一定期間保存するつもりであると判定し、このようなコンテンツデータについては、再生停止又は再生終了時にコンテンツデータの消去の問い合わせを行わないようにする。このことにより、ユーザの操作ステップを減少させることができる。
【００３６】
コンテンツデータに頭出し用マークが設定されている場合（ステップ２２）、コンテンツデータの消去の問い合わせを行わずに終了する。頭出し用のマークが設定されてない場合（ステップ２２）、当該コンテンツデータのメタデータがユーザにより設定・編集されているかを確認する（ステップ２３）。
【００３７】
メタデータがユーザにより設定・編集されているコンテンツデータについては、ユーザが消去するつもりがない、または、一定期間保存するつもりであると判定し、再生停止又は再生終了時にコンテンツデータの消去の問い合わせを行わないようにする。
【００３８】
メタデータとは、コンテンツデータに付随する情報であり、コンテンツ記録再生装置内でコンテンツデータとともに管理される。このため、コンテンツデータを消去した際は同時に消去される。
【００３９】
タイトルは、コンテンツデータの名前であり、タイトルの一覧をディスプレイ９の画面上に表示することで、ユーザが所望のコンテンツデータを探すために利用される。通常、コンテンツデータを記録した際、装置により定められた方法（例えば、日付と録画開始時刻とチャンネルを示す情報をタイトルとする）によりタイトルが自動的に付加される場合、または、ＥＰＧ（電子番組表）のデータから自動的に付加される場合がほとんどであり、必要であれば、ユーザは、そのタイトルをコンテンツデータの記録前または記録後に変更することができる。
【００４０】
コメントは、コンテンツデータに付与するメモ書きのようなものであり、コンテンツデータの内容を補足する文字がユーザによって書き込まれる。通常、コンテンツデータを記録した際、コメントには何も入力されていない、または、ＥＰＧのデータから番組の説明等が入力されることがほとんどであり、必要であれば、ユーザは、そのコメントをコンテンツデータの記録前または記録後に変更することができる。
【００４１】
サムネイルは、コンテンツデータの中の映像の一場面であり、コンテンツデータの一覧をディスプレイ９の画面上に表示することにより、ユーザが所望の再生開始位置を探すために利用される。通常、コンテンツデータを記録した際、装置により定められた方法（例えば、コンテンツデータの先頭のフレーム、コンテンツデータの先頭から５秒後のフレームなど）によりサムネイルが設定される場合がほとんどであり、必要であれば、ユーザは、そのサムネイルをコンテンツデータの記録前または記録後に変更することができる。
【００４２】
このようにメタデータは、主にユーザがコンテンツデータを検索するために利用されたり、重要なコンテンツデータに補足の情報を書き込む場合に利用される。さらに、メタデータは、コンテンツデータが消去された際に同時に消去されることから、通常ユーザが１度視聴して消去するつもりのコンテンツデータのメタデータをわざわざ編集する可能性は低い。
【００４３】
したがって、メタデータがユーザにより編集されているコンテンツデータについては、ユーザが消去するつもりがない、または、一定期間保存するつもりであると判定し、当該コンテンツデータについては、再生停止又は再生終了時にコンテンツデータの消去の問い合わせを行わないようにする。このことにより、ユーザの操作ステップを減少させることができる。
【００４４】
コンテンツデータのメタデータが設定・編集されている場合（ステップ２３）、コンテンツデータの消去の問い合わせは行わずに終了する。メタデータが設定・編集されていない場合（ステップ２３）、当該コンテンツデータが外部機器から入力し記録されたコンテンツデータであるか否かを確認する（ステップ２４）。
【００４５】
コンテンツ記録再生装置の受信部１は、チューナ部１ａと信号入力部１ｂとを備えるため、外部機器で再生し、信号入力部１ｂの入力端子から入力したコンテンツデータをハードディスクドライブ３に記録することができる。これは、例えば、ＤＶＤプレーヤで再生した映像信号及び音声信号をコンテンツ記録再生装置に記録する場合、ビデオカメラで撮影した画像をコンテンツ記録再生装置に記録する場合、衛星放送チューナが受信したコンテンツデータをコンテンツ記録再生装置に記録する場合などがある。
【００４６】
なお、衛星放送チューナが受信したコンテンツデータをコンテンツ記録再生装置のハードディスクドライブ３に記録する場合、コンテンツデータの消去の問い合わせ機能の有効無効をユーザが選択できるようにしてもよい。この場合、図２におけるステップ２４の処理は省略される。このことにより、ユーザが一度視聴した後、消去する予定のコンテンツデータに対してはコンテンツデータの消去の問い合わせを行うようにすることができる。
【００４７】
外部機器で再生したコンテンツデータをコンテンツ記録再生装置のハードディスクドライブ３に記録した場合、ユーザがハードディスクドライブ３に記録したコンテンツデータを１度再生しただけで消去する可能性は低い。このため、外部機器から入力し記録されたコンテンツデータについては、ユーザが消去するつもりがない、または、一定期間保存するつもりであると判定し、当該コンテンツデータについては、再生停止又は再生終了時にコンテンツデータの消去の問い合わせを行わない。このことにより、ユーザの操作ステップを減少させることができる。
【００４８】
コンテンツデータが外部機器から入力され、ハードディスクドライブ３に記録されたコンテンツデータの場合（ステップ２４）、コンテンツデータの消去の問い合わせを行わずに終了する。コンテンツデータが外部機器から入力され、ハードディスクドライブ３に記録されたコンテンツデータでない場合（ステップ２４）、ディスプレイ９にコンテンツデータの消去の問い合わせ画面を表示する（ステップ２５）。
【００４９】
図３は、本実施例のコンテンツ記録再生装置におけるコンテンツデータの消去の問い合わせ画面を示す図である。
図３に示す問い合わせ画面による問い合わせに対し、ユーザが「コンテンツデータの消去」を選択した場合（ステップ２６）、当該コンテンツデータを消去して終了する（ステップ２７）。
【００５０】
この問い合わせに対し、ユーザが「コンテンツデータの消去」を選択せず（ステップ２６）、「以後の問い合わせをしない」を選択した場合（ステップ２８）、コンテンツデータは消去せず、問い合わせフラグを「０」に変更する（ステップ２９）。これにより、以降、当該コンテンツデータを再生し、再生が停止又は再生が終了した後に、コンテンツデータの消去の問い合わせは行われない。
【００５１】
この問い合わせに対し、ユーザが「コンテンツデータの消去」を選択せず（ステップ２６）、「以後の問い合わせをしない」も選択しない場合（ステップ２８）、すなわち、ユーザが「以後も問い合わせをする」を選択した場合（ステップ２８）、コンテンツデータを消去せず、問い合わせフラグも「１」のまま終了する。これにより、以降、当該コンテンツデータを再生し、再生が停止又は再生が終了した後に、再びコンテンツデータ消去の問い合わせが行われる。
【００５２】
以上のように、ユーザがそのコンテンツを消去するつもりがない、または、一定期間保存するつもりであると考えられるコンテンツデータについては、１回目の再生であっても、コンテンツデータの再生が停止された後又は再生が終了した後に、コンテンツデータの消去の問い合わせを行わないことで、ユーザの操作ステップを減少させることができる。
【００５３】
従来のコンテンツデータの消去の問い合わせでは、消去するつもりがない、または、一定期間保存するつもりであるコンテンツデータの判定を、再生時間の長さや録画時間に対する再生時間の割合等で判定していた。このため、例えばユーザがあるテレビ番組を今後も繰り返し視聴するつもりで録画予約し、予約する際には再生するときに当該コンテンツデータをすぐに探し出せるようにコンテンツデータのタイトルを編集した場合でも、当該コンテンツデータの録画終了後、そのコンテンツデータが再生され、再生が終了すると、当該コンテンツデータを消去するかどうか問い合わせが行なわれる。
【００５４】
しかし、コンテンツデータの再生時間と、ユーザが消去するつもりがない、または、一定期間保存するつもりであることに関連性がないため、ユーザにとって、保存しておくつもりのコンテンツデータに対してコンテンツデータの消去の問い合わせがあり、「以後の問い合わせをしない」を選択する操作が必要になる。この操作は、ユーザにとって煩わしい。
【００５５】
これに対し、本実施例のコンテンツ記録再生装置では、コンテンツデータに、頭出し用マークが設定されている、メタデータが設定・編集されている、或いは、外部機器からの入力であるか否かに基づいて、ユーザがコンテンツデータを消去するつもりがない、または、一定期間保存するつもりであるか否かを判定し、ユーザが消去しないと判断しているコンテンツデータに対し、コンテンツデータの再生停止又は再生終了後にコンテンツデータの消去の問い合わせを行わないようにしたため、ユーザへ無駄な問い合わせを減少させ、煩わしさを低減することができる。
【００５６】
また、前述した実施例において、問い合わせフラグは、初期値として「０」を設定し、頭出し用のマークを設定されたコンテンツデータ、または、メタデータが設定・編集されたコンテンツデータ、または、外部機器から入力したコンテンツデータに対し問い合わせフラグを「１」に設定するようにしてもよい。
【図面の簡単な説明】
【００５７】
【図１】本発明のコンテンツ記録再生装置の一実施例の概略構成を示す図。
【図２】本実施例のコンテンツ記録再生装置におけるコンテンツデータの再生終了後のコンテンツデータの消去を問い合わせをする動作を示すフローチャート。
【図３】本実施例のコンテンツ記録再生装置におけるコンテンツデータの消去の問い合わせ画面を示す図。
【図４】従来のコンテンツ記録再生装置における消去問い合わせ機能の動作を示すフローチャート。
【符号の説明】
【００５８】
１・・・受信部、１ａ・・・チューナ部、１ｂ・・・信号入力部、２・・・エンコーダ、３・・・ハードディスクドライブ、４・・・デコーダ、５・・・出力部、６・・・操作部、７・・・制御部、８・・・アンテナ、９・・・ディスプレイ、１０・・・スピーカ。
【図１】
2005217455.tif 000003
【図２】
2005217455.tif 000004
【図３】
2005217455.tif 000005
【図４】
2005217455.tif 000006